(57)【要約】中空の共鳴器（１０）を備えた楽器であって、前記共鳴器が、連続する空気柱の境界を形成するケーシングを有し、前記共鳴器が、直列的に第１の部分（１４，１６）と第２の部分（１５）とを備え、前記楽器は、前記第１の部分と前記第２の部分との間に係合部を有し、前記ケーシングの外側を向いた側において、前記係合部は、前記第１の部分と前記第２の部分との間の移行境界（２１，２２）により境界が形成されており、前記楽器は、サウンドブリッジ（４）と、前記共鳴器の外側に当接接触してクランプ力下で前記サウンドブリッジを取り付ける１つ以上の張力要素（４６，４７）と、を備え、前記サウンドブリッジは、第１の外端部において、前記共鳴器の前記第１の部分上に当接接触してクランプ力下で配置される第１接触部を有し、前記サウンドブリッジは、第２の外端部において、前記共鳴器の前記第２の部分上に当接接触してクランプ力下で配置される第２接触部を有し、前記サウンドブリッジは、前記移行境界から離間している、楽器。
2013541052.tif 000002
【特許請求の範囲】
【請求項１】
中空の共鳴器を備えた楽器、特に管楽器であって、
前記共鳴器が、連続する空気柱の境界を形成するケーシングと、前記ケーシングの開口と、を有し、前記開口を介して音を生成し、
前記空気柱は、使用時、振動させられ、
前記ケーシングは前記空気柱の振動を少なくとも部分的に引き継ぎ、
前記共鳴器が、直列的に第１の部分と第２の部分とを備え、
前記楽器は、前記第１の部分と前記第２の部分との間に係合部を有し、
前記ケーシングの外側を向いた側において、前記係合部は、前記第１の部分と前記第２の部分との間の移行境界により境界が形成されており、
前記楽器は、サウンドブリッジと、前記共鳴器の外側に当接接触してクランプ力下で前記サウンドブリッジを取り付ける１つ以上の張力要素と、を備え、
前記サウンドブリッジは、第１の外端部において、前記共鳴器の前記第１の部分上に当接接触してクランプ力下で配置される第１接触部を有し、
前記サウンドブリッジは、第２の外端部において、前記共鳴器の前記第２の部分上に当接接触してクランプ力下で配置される第２接触部を有し、
前記サウンドブリッジは、前記移行境界から離間している、楽器。
【請求項２】
前記サウンドブリッジが、前記移行境界と直接的に接触しない、請求項１に記載の楽器。
【請求項３】
前記楽器は、シールドブリッジを備え、
前記サウンドブリッジの前記ケーシングとは反対側において、前記シールドブリッジは、前記１つ以上の張力要素と前記サウンドブリッジとの間に配置される、請求項１または２に記載の楽器。
【請求項４】
前記シールドブリッジが、前記サウンドブリッジに面する側にスペーサ突起を備えており、
前記シールドブリッジは、前記スペーサ突起のみにより前記サウンドブリッジに接触する、請求項３に記載の楽器。
【請求項５】
前記シールドブリッジが、前記スペーサ突起を除いて、前記サウンドブリッジから離間している、請求項４に記載の楽器。
【請求項６】
前記サウンドブリッジと前記シールドブリッジの前記スペーサ突起との間の接触が、点接触である、請求項４または５に記載の楽器。
【請求項７】
前記１つ以上の張力要素が前記シールドブリッジには直接的に接触するが前記サウンドブリッジには直接的に接触しないように、前記シールドブリッジが前記サウンドブリッジをシールドしている、請求項３〜６のいずれか１項に記載の楽器。
【請求項８】
前記１つ以上の張力要素が前記共鳴器の前記ケーシングの周りに周方向に取り付けられ、
前記１つ以上の張力要素が前記ケーシングから前記シールドブリッジの方へ、好ましくは前記シールドブリッジの上へ延びる、請求項３〜７のいずれか１項に記載の楽器。
【請求項９】
前記第１接触部が、前記移行境界から離間した前記第１の部分に当接し、
前記第２接触部が、前記第１接触部に対して前記移行境界とは反対側の、前記移行境界から離間した前記第２の部分に当接し、
前記サウンドブリッジが、前記移行境界から離間して前記第１接触部と第２接触部を接続するブリッジ部を備える、請求項１〜８のいずれか１項に記載の楽器。
【請求項１０】
前記空気柱は、使用時、ルートコード周波数を有する振動と、倍音周波数を有する倍音振動と、を有し、
前記倍音周波数は、前記ルートコード周波数を乗算した結果であり、
前記サウンドブリッジは、前記係合部よりも前記倍音振動を良好に伝導する、請求項１〜９のいずれか１項に記載の楽器。
【請求項１１】
前記空気柱は、使用時、ルートコード周波数を有する振動と、低音振動と、を有し、
前記低音の周波数は、前記ルートコード周波数を分周した結果であり、
前記サウンドブリッジは、前記係合部よりも前記低音振動を良好に伝導する、請求項１〜１０のいずれか１項に記載の楽器。
【請求項１２】
前記サウンドブリッジが、前記ケーシングと略同等の振動伝導特性を有する、請求項１〜１１のいずれか１項に記載の楽器。
【請求項１３】
前記係合部は、前記ケーシングの材料とは異なる材料を含む、請求項１〜１２のいずれか１項に記載の楽器。
【請求項１４】
前記サウンドブリッジが、前記ケーシングと略同じ材料からなる、請求項１〜１３のいずれか１項に記載の楽器。
【請求項１５】
前記サウンドブリッジが、固体材料片から形成されている、請求項１〜１４のいずれか１項に記載の楽器。
【請求項１６】
前記サウンドブリッジが、金属または合成材料、特に、黄銅、銅、ステンレス鋼、銀、金、および洋白を含む金属の群、並びに、ポリカーボネートおよびアクリロニトリルブタジエンスチレンを含む合成材料の群から作られている、請求項１〜１５のいずれか１項に記載の楽器。
【請求項１７】
前記第１の部分および前記第２の部分が、それぞれ、前記共鳴器の管の前記ケーシングを一緒に形成する第１のケーシング部および第２のケーシング部である、請求項１〜１６のいずれか１項に記載の楽器。
【請求項１８】
前記第１の部分がマウスピースであり、前記第２の部分が前記ケーシングである、請求項１〜１６のいずれか１項に記載の楽器。
【請求項１９】
前記係合部が、溶接継手、はんだ接合部、ねじ継手又はコルク接続である、請求項１〜１８のいずれか１項に記載の楽器。
【請求項２０】
前記係合部が、すべりばめ又はプレスばめである、請求項１〜１９のいずれか１項に記載の楽器。
【請求項２１】
前記共鳴器が略管状であり、
前記サウンドブリッジは、前記接触部の位置において、前記共鳴器の曲率と略相補的に湾曲した接触面を有する、請求項１〜２０のいずれか１項に記載の楽器。
【請求項２２】
添付の説明に記載されたおよび／または添付の図面に示された１つ以上の特徴的手段を備える、楽器。
【請求項２３】
請求項１〜２２のいずれか１項に記載の楽器における使用に明らかに適した、サウンドブリッジ。
【請求項２４】
請求項１〜２３のいずれか１項に記載のサウンドブリッジを有する楽器における使用に明らかに適した、シールドブリッジ。
【請求項２５】
添付の説明に記載されたおよび／または添付の図面に示された１つ以上の特徴的手段を備える、サウンドブリッジ。
【発明の詳細な説明】
【技術分野】
【０００１】
本発明は、本発明は、楽器、特に管楽器に関する。
【背景技術】
【０００２】
既知の管楽器は、マウスピースと、音の出口と、を有する共鳴管を備える。共鳴管には１つ以上の管セグメントが設けられており、これがマウスピースと音の出口との間における連続した空気柱の境界となる。これらの間における移行位置で、マウスピース、音の出口、および管セグメントは、はんだ接合、すべりばめおよび／またはコルクによるプレスばめにより相互に気密に接続される。マウスピースを介して管楽器へと空気を吹き込むことにより、共鳴管内の空気柱を振動させることができる。振動させられた空気柱は、共鳴管を通って音の出口の方向に動き、音の出口において音を生成する。共鳴管は、空気柱の振動をある程度引き継ぎ、音に影響を及ぼす。これにより、特定の管楽器に特有である広いスペクトルの音声周波数を有する音が生じる。
【０００３】
マウスピース、音の出口、および共鳴管の管セグメント間における連結は、振動する空気柱と同調する共鳴管の振動の仕方に影響する。はんだ接合、すべりばめ、コルクによるプレスばめといった連結では、特定の周波数があまり伝達されないか全く伝達されない。その結果、生成された音のうち主に高周波と低周波が、音の出口に到達する前に失われてしまう。
【発明の概要】
【発明が解決しようとする課題】
【０００４】
本発明の目的は、広いスペクトルの周波数を含む音を生じさせる楽器を提供することである。
【課題を解決するための手段】
【０００５】
本発明は、第一の態様によれば、中空の共鳴器を備えた楽器、特に管楽器であって、前記共鳴器が、連続する空気柱の境界を形成するケーシングと、前記ケーシングの開口と、を有し、前記開口を介して音を生成し、前記空気柱は、使用時、振動させられ、前記ケーシングは前記空気柱の振動を少なくとも部分的に引き継ぎ、前記共鳴器が、直列的に第１の部分と第２の部分とを備え、前記楽器は、前記第１の部分と前記第２の部分との間に係合部を有し、前記ケーシングの外側を向いた側において、前記係合部は、前記第１の部分と前記第２の部分との間の移行境界（transition edge）により境界が形成されており、前記楽器は、サウンドブリッジと、前記共鳴器の外側に当接接触してクランプ力下で前記サウンドブリッジを取り付ける１つ以上の張力要素と、を備え、前記サウンドブリッジは、第１の外端部において、前記共鳴器の前記第１の部分上に当接接触してクランプ力下で配置される第１接触部を有し、前記サウンドブリッジは、第２の外端部において、前記共鳴器の前記第２の部分上に当接接触してクランプ力下で配置される第２接触部を有し、前記サウンドブリッジは、前記移行境界から離間している。サウンドブリッジは楽器とは別に提供することができ、張力要素によって楽器の共鳴器に取り付けられる。サウンドブリッジは移行境界に直接的に接触することなく、係合部に架けられることができる。このように、振動させられるケーシングの振動周波数の広いスペクトルを、移行境界の一方側における共鳴器の第１の部分から、移行境界の他方側における共鳴器の第２の部分へと転移させることができる。その結果、楽器はより豊かな音を生成することができる。
【０００６】
一実施形態では、前記サウンドブリッジが、前記移行境界と直接的に接触しない。このように、振動させられるケーシングの振動周波数の広いスペクトルを、移行境界の一方側における共鳴器の第１の部分から、移行境界の他方側における共鳴器の第２の部分へと転移させることができる。その結果、楽器はより豊かな音を生成することができる。
【０００７】
一実施形態において、前記楽器は、シールドブリッジを備え、前記サウンドブリッジの前記ケーシングとは反対側において、前記シールドブリッジは、前記１つ以上の張力要素と前記サウンドブリッジとの間に配置される。シールドブリッジは、周方向の張力要素がサウンドブリッジに直接的に接触しないように、張力要素がサウンドブリッジから自由な状態を保つことができる。これにより、張力要素の振動伝達特性が悪いことによって減衰されることなく、サウンドブリッジは、シールドブリッジとケーシングの間におけるケーシング振動と共に自由に振動することができる。
【０００８】
一実施形態では、前記シールドブリッジが、前記サウンドブリッジに面する側にスペーサ突起を備えており、前記シールドブリッジは、前記スペーサ突起のみにより前記サウンドブリッジに接触する。スペーサ突起により、シールドブリッジとサウンドブリッジとの間に空間を介在させることができ、その結果、サウンドブリッジはシールドブリッジに対して実質的に自由に振動することができる。
【０００９】
一実施形態では、前記シールドブリッジが、前記スペーサ突起を除いて、前記サウンドブリッジから離間している。空間が介在していることにより、サウンドブリッジはシールドブリッジに対して実質的に自由に振動することができる。
【００１０】
一実施形態では、前記サウンドブリッジと前記シールドブリッジの前記スペーサ突起との間の接触が、点接触である。点接触によって接触面が限られていることにより、サウンドブリッジはシールドブリッジに対して実質的に自由に振動することができる。
【００１１】
一実施形態では、前記１つ以上の張力要素が前記シールドブリッジには直接的に接触するが前記サウンドブリッジには直接的に接触しないように、前記シールドブリッジが前記サウンドブリッジをシールドしている。その結果、サウンドブリッジは、張力要素の振動伝達特性が悪いことによって減衰されることなく、シールドブリッジとケーシングの間におけるケーシング振動と共に自由に振動することができる。
【００１２】
一実施形態では、前記１つ以上の張力要素が前記共鳴器の前記ケーシングの周りに周方向に取り付けられ、前記１つ以上の張力要素が前記ケーシングから前記シールドブリッジの方へ、好ましくは前記シールドブリッジの上へ延びる。周方向の張力要素は、サウンドブリッジおよびシールドブリッジの位置で、シールドブリッジとの直接接触を介して、サウンドブリッジをケーシングに対して間接的に固定するために共鳴器のケーシングの周りに単に回されることができる。
【００１３】
一実施形態では、前記第１接触部が、前記移行境界から離間した前記第１の部分に当接し、前記第２接触部が、前記第１接触部に対して前記移行境界とは反対側の、前記移行境界から離間した前記第２の部分に当接し、前記サウンドブリッジが、前記移行境界から離間して前記第１接触部と第２接触部を接続するブリッジ部を備える。第１接触部が第１の部分の振動を引き継ぐことができ、ブリッジ部を介して第２接触部がこれを第２の部分へと転移させることができ、サウンドブリッジが移行境界に直接的に接触する必要はない。
【００１４】
一実施形態において、前記空気柱は、使用時、ルートコード（route chord）周波数を有する振動と、倍音周波数を有する倍音振動と、を有し、前記倍音周波数は、前記ルートコード周波数を乗算した結果であり、前記サウンドブリッジは、前記係合部よりも前記倍音振動を良好に伝導する。サウンドブリッジは、共鳴器の二つの隣り合う部分の間で、倍音振動、特にケーシングの表面の上に伝播する倍音振動を伝送することができる。その結果、最終的に生成される音は、広い周波数スペクトルを含むことができきる。
【００１５】
一実施形態において、前記空気柱は、使用時、ルートコード周波数を有する振動と、低音振動と、を有し、前記低音の周波数は、前記ルートコード周波数を分周した結果であり、前記サウンドブリッジは、前記係合部よりも前記低音振動を良好に伝導する。サウンドブリッジは、共鳴器の二つの隣接する部分の間で、低音振動を伝送することができる。その結果、最終的に生成される音は、広い周波数スペクトルを含むことができきる。
【００１６】
一実施形態では、前記サウンドブリッジが、前記ケーシングと略同等の振動伝達特性を有する。サウンドブリッジが接触する共鳴器のケーシングとサウンドブリッジとは、実質的に均一な振動伝達特性を有する振動結合体（vibrating unity）を形成することができる。
【００１７】
一実施形態において、前記係合部は、前記ケーシングの材料とは異なる材料を含む。係合部が、第１の部分と第２の部分との間の材料移行部を形成する結果、係合部によるケーシングにおける振動伝達が悪化する。サウンドブリッジは、振動伝達が悪い係合部を効果的に橋渡しすることができる。
【００１８】
一実施形態では、前記サウンドブリッジが、前記ケーシングと略同じ材料からなる。サウンドブリッジが接触する共鳴器のケーシングとサウンドブリッジとは、実質的に均一な振動伝達特性を有する振動結合体（vibrating unity）を形成することができる。。
【００１９】
一実施形態では、前記サウンドブリッジが、固体材料片から形成されている。固体材料片は、実質的に均一な振動伝達特性を有することができる。その結果、第１接触部で吸収される振動は、第２接触部を介してサウンドブリッジを離れる振動と実質的に同じである。
【００２０】
一実施形態では、前記サウンドブリッジが、金属または合成材料、特に、黄銅、銅、ステンレス鋼、銀、金、および洋白（alpaca）を含む金属の群、並びに、ポリカーボネートおよびアクリロニトリルブタジエンスチレンを含む合成材料の群から形成される。サウンドブリッジは正しい振動周波数を伝導する材料で製造することができ、これにより生成される音の所望の周波数スペクトルを達成することができる。
【００２１】
一実施形態では、前記第１の部分および前記第２の部分が、それぞれ、前記共鳴器の管の前記ケーシングを一緒に形成する第１のケーシング部および第２のケーシング部である。サウンドブリッジは、ケーシング部間における振動伝達接続部を形成することができる。その結果、マウスピースとケーシングとが一つのもののように共振することができる。
【００２２】
一実施形態では、前記第１の部分がマウスピースであり、前記第２の部分が前記ケーシングである。サウンドブリッジは、マウスピースとケーシングとの間における振動伝達接続部を形成することができる。その結果、マウスピースとケーシングとが一つのもののように共振することができる。
【００２３】
一実施形態では、前記係合部が、溶接継手、はんだ接合部、ねじ継手又はコルク接続である。溶接継手、はんだ接合部、ねじ継手、コルク接続は、サウンドブリッジよりも振動伝達特性が悪い可能性がある。
【００２４】
一実施形態では、前記係合部が、すべりばめまたはプレスばめである。すべりばめやプレスばめは、サウンドブリッジよりも振動伝達特性が悪い可能性がある。
【００２５】
一実施形態では、前記共鳴器が略管状であり、前記サウンドブリッジは、前記接触部の位置において、前記共鳴器の曲率と略相補的に湾曲した接触面を有する。湾曲した接触面により、サウンドブリッジを共鳴器上に安定的に支持することができる。
【００２６】
本発明は、第二の態様によれば、前記実施形態のいずれかに記載の楽器における使用に明らかに適したサウンドブリッジを提供する。サウンドブリッジは、楽器とは別に提供することができる。
【００２７】
本発明は、第三の態様によれば、前記実施形態のいずれかに記載のサウンドブリッジを有する楽器における使用に明らかに適したシールドブリッジを提供する。サウンドブリッジとシールドブリッジは、楽器とは別に提供することができる。
【００２８】
本明細書中に記載されると共に特許請求の範囲および／または本出願の図面に示された態様や方法は、単独で用いてもよい。個々の態様は、それに関連する特許分割出願の対象とすることができる。これは、とりわけ、サブクレームに記載されている態様や方法自体に当てはまる。
【００２９】
本発明のさらなる特徴および利点は、添付の図面を参照しながら、本発明の好適な例示的実施形態に関する以下の説明から明らかになる。
【図面の簡単な説明】
【００３０】
【図１】本発明の第１実施形態に係る第１のサウンドブリッジアセンブリが設けられたサクソフォンの側面図を示す。
【図２Ａ】図１の領域ＩＩＡによる第１のサウンドブリッジアセンブリが設けられたサクソフォンの縦断面を示す図を示す。
【図２Ｂ】図１の領域ＩＩＢによる第１のサウンドブリッジアセンブリが設けられたサクソフォンの縦断面図を示す。
【図３】図１に示した第１のサウンドブリッジアセンブリの斜視図を示す。
【図４Ａ】図３に示した第１のサウンドブリッジアセンブリの正面図を示す。
【図４Ｂ】図３に示した第１のサウンドブリッジアセンブリの側面図を示す。
【図４Ｃ】図３に示した第１のサウンドブリッジアセンブリの上面図を示す。
【図４Ｄ】図４Ｃの線ＩＶＤによる第１のサウンドブリッジアセンブリの長手方向断面図を示す。
【図４Ｅ】図４Ｃの線ＩＶＥによる第１のサウンドブリッジアセンブリの断面図を示す。
【図５】図３に示した第１のサウンドブリッジアセンブリを有するクラリネットの側面図を示す。
【図６】図３に第１の第１のサウンドブリッジアセンブリと横方向の溝の側面図である。
【図７】図３に示した第１のサウンドブリッジアセンブリが設けられたトランペットの側面図を示す。
【図８】本発明の別の実施形態に係る第２のサウンドブリッジアセンブリが設けられたサクソフォンの長手方向断面図を示す。
【図９Ａ】図８の第２のサウンドブリッジアセンブリの正面図を示す。
【図９Ｂ】図８の第２のサウンドブリッジアセンブリの側面図を示す。
【図９Ｃ】図８の第２のサウンドブリッジアセンブリの上面図を示す。
【図９Ｄ】図９Ｃ中の線ＩＸＤによる第２のサウンドブリッジアセンブリの長手方向断面図を示す。
【図９Ｅ】図９Ｃ中の線ＩＸＥによる第２のサウンドブリッジアセンブリの断面図を示す。
【発明を実施するための形態】
【００３１】
図１は楽器、特に管楽器、より具体的にはサクソフォン１を示す。
【００３２】
サクソフォン１は、第１の外方開口端１１と、第２の外方開口端１２と、これらの間に延びるケーシング１３と、を有するＳ字状の中空で銅製の共鳴管１０の形態であるサウンドボディまたは共鳴器を備える。ケーシング１３は、共鳴管１２の第１の外方開口端１１と第２の外方開口端１２との間において連続する空気柱の境界を形成している。共鳴管１０のケーシング１３は、ネック部１４、キー部１５、屈曲部１６、およびホーン部すなわちベル部１７を、連続して直列に備える。サクソフォン１には、第１の移行境界２１、第２の移行境界２２、および第３の移行境界２３が、ケーシング１３の外側に、サクソフォン１の外側から見える状態で設けられている。移行境界２１−２３は、それぞれ、すべりばめ部とスズはんだ円周接合部を覆う補強ブッシュや装飾的なリングによって形成されている。すべりばめおよびはんだ接合により、第１の移行境界２１の位置でネック部分１４とキー部１５とを、第２の移行境界２２の位置でキー部１５と屈曲部１６とを、第３の移行境界２３の位置で屈曲部１６とベル部１７とが、それぞれ互いに気密に接続される。
【００３３】
共鳴管１０には、マウスピース３０が設けられている。マウスピース３０は端縁３１において、共鳴管１０の第１の外方開口端１１でケーシング１３に配置されている。気密なコルク接続を形成するため、外方開口端１１には、マウスピース３０の内部へとプレスばめされるコルクが貼り付けられている。
【００３４】
図１及び図２Ａに示すように、ネック部１４とキー部１５との間の第１の移行境界２１の位置において、サクソフォン１には、本発明の第１実施形態に係る第１のサウンドブリッジアセンブリが設けられている。第１のサウンドブリッジアセンブリは、図３や図４Ａ〜４Ｅに詳細に示されている、別体のサウンドブリッジ４を備える。図３に示すように、サウンドブリッジ４は、実質的に均一な厚さ数ミリメートルを有すると共に楕円形の周方向輪郭を有するソリッドサウンドブリッジ本体４０を備える。ソリッドサウンドブリッジ本体４０は金属製であり、この例では銅製である。楕円形の周方向輪郭の長手方向において、サウンドブリッジ４は、長さ約３〜４センチメートルである。楕円形の周方向輪郭の横断方向において、サウンドブリッジ４は、幅約１．５センチである。
【００３５】
図２Ａに示すように、第１移行境界２１の下のすべりばめの位置において、共鳴管１０は、ネック部１４にはんだ付けされたすべりばめ部材２５を備えている。このすべりばめ部材２５はキー部１５よりも狭い外径を有する。すなわち、ネック部１４は、ネック部１４に対して狭窄部材２５が設けられている。すべりばめ部材２５は、キー部１５内へとすべりこみ、金属のすべりばめ部材の金属を介して、キー部１５に内側から当接している。
【００３６】
縦断面図である図４Ｄに示すように、サウンドブリッジ４は、ネック部１５の位置では第１の移行境界２１から離間しているがサクソフォン１のケーシング１３の外側に当接接触して支持する第１接触部４１を有する。また、サウンドブリッジ４は、キー部１５の位置では第１の移行境界２１から離間しているがサクソフォン１のケーシング１３の外側に当接接触して支持する第２接触部４２を有する。また、サウンドブリッジ４は、第１接触部４１および第２接触部４２を互いへと接続し、第１接触部４１および第２接触部４２に対して隆起したブリッジ部４３を有する。第１接触部４１および第２接触部４２は、第１の移行境界２１およびその下に位置するすべりばめには直接接触しない。
【００３７】
以上の説明では、ネック部１４からキー部１５への第１の移行境界２１と、この位置におけるすべりばめ部に関連してのみ、サウンドブリッジ４を説明したが、サウンドブリッジ４は、マウスピース３０、ネック部１４、キー部１５、屈曲部１６、ベル部１７の間で図１に示す他の移行境界２１−２３や、マウスピース３０の端縁３１、すべりばめ部やその下に位置するはんだ接合部の各々の上に同様の方法で配置することができる。図１、図２Ｂ、及び２Ｄに示すように、第２の移行境界２２の位置および第３の移行境界２３においてサクソフォン１には、サウンドブリッジ４が設けられている。図２Ｂに示すように、キー部１５および屈曲部１６の間の第２の移行境界２２の位置で、サウンドブリッジ４は、第２の移行境界２２およびその下に位置するはんだ接合部に直接接触しない。
【００３８】
図４Ｂは、サウンドブリッジ４にインデックススロット４５が４箇所で設けられていることを示しており、ここで、サウンドブリッジ本体４０の楕円形の周方向輪郭におけるブリッジ部４３が、第１接触部４１および第２接触部４２と合流する。図３に示すように、サウンドブリッジ４には、インデックススロット４５内に配置された２つの周方向締付バンド４６，４７が設けられる。締付バンド４６，４７は、サウンドブリッジ本体４０を共鳴管１０のケーシング１３に対して接触点Ｃ１、Ｃ２、Ｃ３、Ｃ４において当接させ、張力、圧力またはクランプ力下に置く。
【００３９】
図４Ｂ及び４Ｅに示すように、ソリッドサウンドブリッジ本体４０は、ケーシング１３と向かい合う側において、楕円形の円周輪郭の横断方向に凹状の湾曲を有している。その結果、ソリッドサウンドブリッジ本体４０の凹状下面は、共鳴管１０のケーシング１３の凸曲面と実質的につながっている。この例では、サウンドブリッジ４とケーシング１３との間の接触点が、第１接触部４１に対してＣ１およびＣ２で、第２接触部４２に対してＣ３およびＣ４で示されている。
【００４０】
図４Ｂおよび４Ｄに示すように、ソリッドサウンドブリッジ本体４０は、その長手方向において、第１接触部４１の下でケーシング１３に対向する側に凸状の湾曲を有し、ブリッジ部４３の下でケーシング１３に対向する側に凹状の湾曲を有し、第２接触部４２の下でケーシング１３に対向する側に凸状の湾曲を有する。サウンドブリッジ本体４０の横方向および長手方向の両方において、ブリッジ部４３の下の凹状の湾曲は、ケーシング１３に対向する二重湾曲凹状ブリッジ面４４を形成する。ブリッジ部４３の下で、ブリッジ面４４は、ネック部１４とキー部１５との間のすべりばめの場所に位置する第１の移行境界２１に空間を提供している。ブリッジ部４３と第１の移行境界２１との間には中間領域または空き領域が存在すると好ましく、その結果、サウンドブリッジ４は、第１の移行境界２１やその下に位置するすべりばめ部に直接接触しない。
【００４１】
本発明の第１実施形態に係る第１サウンドブリッジアセンブリを有するサクソフォン１の働きについて、図１および図２に基づいて説明する。
【００４２】
図１は、マウスピース３０を介してケーシング１３に空気を吹き込むことにより、ケーシング１３に存在する空気柱がどのように振動するかを示す。空気柱における振動は、模式的に空気振動Ｌとして示されている。共鳴管１０の長さに応じて、空気振動Ｌは、振動周波数を有している。空気柱は、共鳴管１０の、マウスピース３０とは反対側の外端に位置するベル部１７を介して共鳴管１０を離れる。ここで、空気振動Ｌが共鳴管１０と協働して特定のルートコードの音を生成する。ルートコードは、空気振動Ｌの周波数に一致する周波数を有する。空気振動Ｌの周波数および関連する音のルートコードの周波数を変更するため、共鳴管１０の長さは、キー部１５上のキーによって効果的に短縮することができる。
【００４３】
図２Ａは、ネック部１４とキー部１５との間におけるすべりばめ部２１の位置において、共鳴管１０のケーシング１３の縦断面図を模式的に示す。ルートコードに対して高い周波数の空気振動Ｌは、共鳴管１０のケーシング１３に沿って厳密に伝播するという伝播特性を有する。特に、空気振動Ｌのルートコードの周波数を逓倍（整数倍）した結果の振動周波数を有する倍音は、共鳴管１０によって引き継がれる。例えば低音などの低周波振動といった空気柱の他の振動周波数は、共鳴管１０の実効的な長さに応じて多かれ少なかれケーシング１３により引き継がれている。低音振動は、空気振動Ｌのルートコードを分周した（整数で割った）結果である振動周波数を有する。引き継がれた振動はケーシング１３内および／またはケーシング１３の表面を超えて伝播し、共鳴振動すなわちケーシング振動Ｍとして模式的に示されている。図１は、空気柱の空気振動Ｌとケーシング１３のケーシング振動Ｍが、共鳴管１０の、マウスピース３０とは反対側の外端に位置するベル部１７を介して可聴音Ｋを生成するために協働することを模式的に示す。
【００４４】
生成される音Ｋの中に存在する周波数の最終的なスペクトルは、共鳴管１０の共鳴特性すなわち振動伝達特性や、共鳴管１０がケーシング振動Ｍを伝導する程度に依存する。マウスピース３０でのコルク接続やスズはんだ接合部は、共鳴管１０の銅とは異なる材料特性を有している。その結果、これらの部分により形成される材料移行部では、ケーシング振動Ｍの引き継ぎがうまくいかないか、全く行なわれない。さらに、第１の移行境界２１の下の金属のすべりばめ部材の金属の位置において、ケーシング振動Ｍは、中空共鳴管１０の内部におけるネック部１４とキー部１５との当接接触を介して伝達されるのみであるため、外部に伝播するケーシング振動Ｍの一部が失われる。その結果、サクソフォンは音の響きや音色の一部を失ってしまう。
【００４５】
サウンドブリッジ４が取り付けられた、材料移行部および／または共鳴管１０の部分１４−１７間の移行境界２１−２３の位置において、サウンドブリッジ４は、ケーシング１３を通って伝播するケーシング振動Ｍのための代替経路を提供する。第１接触部４１を介してケーシング１３からサウンドブリッジ４を通って伝播するケーシング振動Ｍは、マウスピース３０の端縁３１や、すべりばめやはんだ接合部の位置のサウンドブリッジ４の下に位置する移行境界２１−２３のそれぞれに直接に接触しない。その結果、ケーシング振動Ｍは、サウンドブリッジ４の第２接触部４２から共鳴管１０の次の部分１４−１７へと、実質的に減衰することなく途切れずに続くことができる。結果として、ケーシング振動Ｍはまた楽器の音の響きに寄与することができる。これは、図１に示すように、ケーシング振動Ｍが、ケーシング１３を通って伝播する間にケーシング１３の外部の空気を振動させるためである。
【００４６】
図３、４Ａ−４Ｅに示したサウンドブリッジ４は、図１に示したサクソフォン１に取り付けられている。しかしながら、サウンドブリッジ４は、例えば、図５に示すクラリネット１０１、図６に示す横笛２０１、図７に示すトランペット３０１等、他の楽器に取り付けることもできる。
【００４７】
図５に示すように、木管楽器と考えられるクラリネット１０１は、この例では、第１の外方開口端１１１、第２の外方開口端１１２、およびこれらの間に延びる木製ケーシング１１３を有する中空の共鳴管１１０の形態の共鳴器を備える。ケーシング１１３は、共鳴管１１０の第１の外方開口端１１１と第２の外方開口端１１２との間において連続する空気柱の境界を形成している。共鳴管１１０のケーシング１１３は、ネック部１１４、第１のキー部１１５、第２のキー部１１６、およびホーン部すなわちベル部１１７を連続して備える。クラリネット１０１には、ネック部１１４と第１のキー部１１５、第１のキー部１１５と第２のキー部１１６、および第２のキー部１１６とベル部１１７をそれぞれ互いに接続する環状の接続部１２１、１２２、１２３が設けられている。サクソフォン１と同様に、クラリネット１０１は、共鳴管１０の第１の外方開口端１１２の周囲でケーシング１１３にコルクによりプレスばめされるマウスピース１３０を備える。
【００４８】
図１および図２のサクソフォン１について記載されているものと同様の方法で、本発明に係るサウンドブリッジ４は、環状接続部１２１−１２３やマウスピース１３０の末端１３１の位置においてクラリネット１０１に取り付けることができる。
【００４９】
図６に示すように、横笛２０１は、この例では、第１の外方開口端２１１、第２の外方開口端２１２、およびこれらの間に延びるケーシング２１３を有する直線的な中空の共鳴管２１０の形態の共鳴器を備える。共鳴管２１０のケーシング２１３は、頭部２１４、嵌合部２１５、キー部１６、および足部１７を連続して備える。嵌合部２１５は、第１の移行境界２２１と第２の移行境界２２２とによって囲まれている。頭部２１４は、嵌合部２１５よりも狭い外径を有するか、嵌合部２１５よりも狭くなっている。マウスピース部２１４は、嵌合部２１５の中へ第２の移行境界２２２までスライドし、内部からすべりばめにより嵌合部２１５に当接する。マウスピース部２１４には、開口部２１１の周囲に位置するリッププレートすなわちマウスピース２３０が設けられており、はんだ接合部２３１によってマウスピースがケーシング２１３に固定的に接続される。マウスピース２３０を介し、開口部２１１を通って、ケーシング２１３へと空気が吹き込み可能である。結果としてケーシング２１３内に存在する空気柱Ｌが振動させられ、ケーシング２１３が振動を多かれ少なかれ引き継いでケーシング振動Ｍとする。はんだ接合部２３１の位置で、本発明に係るサウンドブリッジ４は、マウスピース２３０の振動をマウスピース部２１４に直接伝達することができる。
【００５０】
横笛２０１の場合には、別の不利な現象が存在する。ケーシング振動Ｍは、中空の共鳴管２１０の内部におけるマウスピース部２１４と嵌合部２１５との当接接触を介して伝達されるのみであるため、外部に伝播するケーシングの振動Ｍの一部が失われてしまう。結果として、横笛２０１はその音の響きや音色の一部を失ってしまう。マウスピース部２１４の嵌合部２１５へのすべりばめの位置において、サウンドブリッジ４は、ケーシング振動Ｍを第１の移行境界２２１の位置でマウスピース部２１４からケーシング２１３の外部へと直接伝達することができる。このようにして、ケーシング２１３の外側におけるケーシング振動Ｍの効果損失が打ち消されている。このようにして横笛２０１の音の響きや音色が保たれる。図６に示すように、サウンドブリッジ４は、他の外部境界２２２−２２３、あるいは、マウスピース２３０とケーシング２１３との間の移行部２３１に取り付けることができる。
【００５１】
図７に示すように、金管楽器と考えられるトランペット３０１は、この例では、第１の外方開口端３１１、第２の外方開口端３１２、およびこれらの間に延びる銅製のケーシング３１３を有する中空の共鳴管３１０の形態である共鳴器を備える。ケーシング３１３は、共鳴管３１０の第１の外方開口端３１１と第２の外方開口端３１２との間において連続する空気柱の境界を形成している。共鳴管３１０のケーシング３１３は、マウスピース３３０、キー部３１４、第１の屈曲部３１５、弁部３１６、第２の屈曲部３１７、第２の筒部３１８、およびホーン部すなわちベル部３１９を備える。トランペット３０１には、補強ブッシュ３２１，３２２，３２３が設けられており、これらの下に、ケーシング３１３の部分３１４−３１９を互いに接続するはんだ接合部がある。トランペット３０１は、共鳴管３１０の第１の外方開口端３１２の周囲でケーシング３１３にプレスばめされるマウスピース３３０を備える。
【００５２】
図１及び２によるサクソフォンについての記載と同様に、本発明に係るサウンドブリッジ４は、環状の接続部３２１−３２３の位置で、またはマウスピース３３０の端縁３３１の位置で、トランペット３０１上に配置することができる。
【００５３】
上記の説明は、本発明の好適な実施形態の働きを説明するためのものであり、本発明の範囲を限定するものではない。上記の説明から出発し、本発明の精神および範囲内に入る多くの変形例が存在することは、当業者には明らかであろう。
【００５４】
例えば、本発明に係るサウンドブリッジ４はまた、例えば銅製、黄銅製、銀製、金製、木製の楽器に使用することができる。サウンドブリッジ４は、所望の楽器と周波数スペクトルに応じて正しい動周波数を伝導する材料で作ることができる。特に好適な材料のグループには、金属、特に黄色真鍮、銅、ステンレス鋼、銀、金、洋白、および合成材料、特にポリカーボネート又はアクリロニトリルブタジエンスチレンが含まれる。
【００５５】
図８は、図１に係るサクソフォン１を示すが、ネック部１４とキー部１５との間の第１移行境界２１の位置には、本発明の第２実施形態に係る第２のサウンドブリッジアセンブリ４００が設けられている。第２のサウンドブリッジアセンブリ４００は、互いに対して相補的な形状で上下に配置される、分離したサウンドブリッジ４０４およびシールドブリッジ４０５を備える。サウンドブリッジ４０４は、サクソフォン１のケーシング１３上に載るか、または支持されており、シールドブリッジ４０５は、サウンドブリッジ４０４上に載るか、または支持されている。サウンドブリッジ４０４とシールドブリッジ４０５は、図９Ａ−９Ｅに詳細に示されている。
【００５６】
サウンドブリッジ４０４は、上記した本発明の第１の実施形態に係るサウンドブリッジ４と実質的に同一であり、第１接触部４４１、第２接触部４４２、ブリッジ部４４３、および二重湾曲凹面４４４を有したサウンドブリッジ本体を備える。、図９に示すように、サウンドブリッジ４０４は、共鳴管１０のケーシング１３に接点Ｃ１−Ｃ４で当接するように、第１移行境界２１の位置で取り付けられる。本発明の第２実施形態に係るサウンドブリッジ４０４は、本発明の第１の実施形態に係るサウンドブリッジ４とちょうど同じように、第１移行境界２１に接触せずに、ケーシング１３を通って伝播するケーシング振動Ｍを、共鳴管１０のある部分から他の部分へと実質的に減じさせることなく伝達する。
【００５７】
図９Ａ〜９Ｃに示すように、第２の実施形態に係るサウンドブリッジ４０４と第１実施形態に係るサウンドブリッジ４は、第２の実施形態に係るサウンドブリッジ４０４では締付バンド４６，４７のインデックススロットが設けられていないという点において異なっている。この実施形態では、締めバンド４６，４７は、結局、サウンドブリッジ４０４に直接接触しない。
【００５８】
シールドブリッジ４０５には、サウンドブリッジ４０４のサウンドブリッジ本体４４０と実質的に同一のシールドブリッジ本体４５０が設けられている。シールドブリッジ４０５の凸上面には、締付バンド４６，４７を受容するための４つのインデックススロット４５５が設けられており、この点でシールドブリッジ４０５はサウンドブリッジ４０４と異なる。さらに、図９Ｄおよび９Ｅに示すように、シールドブリッジ４０５は、サクソフォン１のケーシング１３やサウンドブリッジ４０４の上面に面した凹状の二重湾曲ブリッジ面４５４に、４つの離間したスペーサ突起４７０を備えている。この例において、４つのスペーサ突起４７０は、ブリッジ面４５４から約１ミリメートル隆起または突出したスタッド、凸状突起または半球体によって形成されている。
【００５９】
シールドブリッジ４０５は、４つのスペーサ突起４７０により、安定した四点支持でサウンドブリッジ４０４の上面に当接接触して載置されている。シールドブリッジ４０５の凹状の二重湾曲ブリッジ面４５４が、サウンドブリッジ４０４の凸上面の形状に追従しているという点で、サウンドブリッジ本体４４０とシールドブリッジ本体４５０は互いに対して相補的な形状とされている。ブリッジ面４５４に対して横断するシールドブリッジ本体４５０とサウンドブリッジ本体４４０との間の中間領域が実質的に一定であるという点で、支持状態におけるサウンドブリッジ４０４とシールドブリッジ４０５は互いにほぼ平行に延びている。サウンドブリッジ本体４４０とシールドブリッジ本体４５０はスペーサ突起４７０によって互いから分離されており、シールドブリッジ４０５は凸状のスペーサ突起４７０の先端部でのみ点接触でサウンドブリッジ４０４と接触する。スペーサ突起４７０が凸状であることにより、サウンドブリッジ４０４とシールドブリッジ４０５との間の接触面は最小である。
【００６０】
本発明の第２実施形態に係る第２サウンドブリッジアセンブリ４００が設けられたサクソフォン１の操作を、図８に基づいて説明する。
【００６１】
図８に示されるような状況を達成するために、演奏者は、ネック部１４とキー部１５との間の第１移行境界２１の位置で、サクソフォン１のケーシング１３にサウンドブリッジ４０４を取り付ける。この瞬間、サウンドブリッジ４０４はまだ緩んだ状態でケーシング１３上に載置されている。続いて、シールドブリッジ４０５がサウンドブリッジ４０４上に配置され、シールドブリッジ４０５のスペーサ突起４７０のみがサウンドブリッジ４０４に接触する。演奏者は、締付バンド４６，３７がケーシング１３の周囲に回されてシールドブリッジ４０５に張架されるまで、両サウンドブリッジ４０４、４０５をそれぞれの位置に保持する。締付バンド４６，４７は、シールドブリッジ４０５の上面のインデックススロット４５５によってそれぞれの場所に保持される。締付バンド４６，４７は、サウンドブリッジ４０４に接触することなく、ケーシング１３からシールドブリッジ４０５上へと延びる。締付バンド４６，４７の弾性により、第２のサウンドブリッジアセンブリ４００はケーシング１３に固定されており、場所については、加圧力やクランプ力下でケーシング１３に対して固定されている。このとき、演奏者はサウンドブリッジ４０４およびシールドブリッジ４０５から手を放すことができる。
【００６２】
図８に示すような状態では、サウンドブリッジ４０４は、ケーシング１３と第２サウンドブリッジ４０５との間に位置している。シールドブリッジ４０５にわたって張架される締付バンド４６，４７がサウンドブリッジ４０４に直接接触しないように、シールドブリッジ４０５はサウンドブリッジ４０４を保護する。その結果、サウンドブリッジ４０４は、振動伝達特性の悪い締付バンド４６，４７によって抑制されることなく、ケーシング振動Ｍと共に、シールドブリッジ４０５とケーシング１３との間で自由に振動することができる。シールドブリッジ４０５は、実際に締付バンド４６，４７によって抑制できる。シールドブリッジ４０５とサウンドブリッジ４０４との間の接触面はスペーサ突起４７０を介したものに限定されているため、この抑制は、サウンドブリッジ４０４の振動伝達特性に非常に限られた影響しか与えない。
【図１−２Ｂ】
2013541052.tif 000003
【図３】
2013541052.tif 000004
【図４Ａ】
2013541052.tif 000005
【図４Ｂ】
2013541052.tif 000006
【図４Ｃ】
2013541052.tif 000007
【図４Ｄ】
2013541052.tif 000008
【図４Ｅ】
2013541052.tif 000009
【図５】
2013541052.tif 000010
【図６】
2013541052.tif 000011
【図７】
2013541052.tif 000012
【図８】
2013541052.tif 000013
【図９Ａ】
2013541052.tif 000014
【図９Ｂ】
2013541052.tif 000015
【図９Ｃ】
2013541052.tif 000016
【図９Ｄ】
2013541052.tif 000017
【図９Ｅ】
2013541052.tif 000018
【手続補正書】
【提出日】平成25年7月11日(2013.7.11)
【手続補正１】
【補正対象書類名】明細書
【補正対象項目名】００１８
【補正方法】変更
【補正の内容】
【００１８】
一実施形態では、前記サウンドブリッジが、前記ケーシングと略同じ材料からなる。サウンドブリッジが接触する共鳴器のケーシングとサウンドブリッジとは、実質的に均一な振動伝達特性を有する振動結合体（vibrating unity）を形成することができる。
【手続補正２】
【補正対象書類名】明細書
【補正対象項目名】００３２
【補正方法】変更
【補正の内容】
【００３２】
サクソフォン１は、第１の外方開口端１１と、第２の外方開口端１２と、これらの間に延びるケーシング１３と、を有するＳ字状の中空で銅製の共鳴管１０の形態であるサウンドボディまたは共鳴器を備える。ケーシング１３は、共鳴管１０の第１の外方開口端１１と第２の外方開口端１２との間において連続する空気柱の境界を形成している。共鳴管１０のケーシング１３は、ネック部１４、キー部１５、屈曲部１６、およびホーン部すなわちベル部１７を、連続して直列に備える。サクソフォン１には、第１の移行境界２１、第２の移行境界２２、および第３の移行境界２３が、ケーシング１３の外側に、サクソフォン１の外側から見える状態で設けられている。移行境界２１−２３は、それぞれ、すべりばめ部とスズはんだ円周接合部を覆う補強ブッシュや装飾的なリングによって形成されている。すべりばめおよびはんだ接合により、第１の移行境界２１の位置でネック部分１４とキー部１５とを、第２の移行境界２２の位置でキー部１５と屈曲部１６とを、第３の移行境界２３の位置で屈曲部１６とベル部１７とが、それぞれ互いに気密に接続される。
【手続補正３】
【補正対象書類名】明細書
【補正対象項目名】００３５
【補正方法】変更
【補正の内容】
【００３５】
図２Ａに示すように、第１の移行境界２１の下のすべりばめの位置において、共鳴管１０は、ネック部１４にはんだ付けされたすべりばめ部材２５を備えている。このすべりばめ部材２５はキー部１５よりも狭い外径を有する。すなわち、ネック部１４は、ネック部１４に対して狭窄部材２５が設けられている。すべりばめ部材２５は、キー部１５内へとすべりこみ、金属のすべりばめ部材の金属を介して、キー部１５に内側から当接している。
【手続補正４】
【補正対象書類名】明細書
【補正対象項目名】００３６
【補正方法】変更
【補正の内容】
【００３６】
縦断面図である図４Ｄに示すように、サウンドブリッジ４は、ネック部１４の位置では第１の移行境界２１から離間しているがサクソフォン１のケーシング１３の外側に当接接触して支持する第１接触部４１を有する。また、サウンドブリッジ４は、キー部１５の位置では第１の移行境界２１から離間しているがサクソフォン１のケーシング１３の外側に当接接触して支持する第２接触部４２を有する。また、サウンドブリッジ４は、第１接触部４１および第２接触部４２を互いへと接続し、第１接触部４１および第２接触部４２に対して隆起したブリッジ部４３を有する。第１接触部４１および第２接触部４２は、第１の移行境界２１およびその下に位置するすべりばめには直接接触しない。
【手続補正５】
【補正対象書類名】明細書
【補正対象項目名】００４７
【補正方法】変更
【補正の内容】
【００４７】
図５に示すように、木管楽器と考えられるクラリネット１０１は、この例では、第１の外方開口端１１１、第２の外方開口端１１２、およびこれらの間に延びる木製ケーシング１１３を有する中空の共鳴管１１０の形態の共鳴器を備える。ケーシング１１３は、共鳴管１１０の第１の外方開口端１１１と第２の外方開口端１１２との間において連続する空気柱の境界を形成している。共鳴管１１０のケーシング１１３は、ネック部１１４、第１のキー部１１５、第２のキー部１１６、およびホーン部すなわちベル部１１７を連続して備える。クラリネット１０１には、ネック部１１４と第１のキー部１１５、第１のキー部１１５と第２のキー部１１６、および第２のキー部１１６とベル部１１７をそれぞれ互いに接続する環状の接続部１２１，１２２，１２３が設けられている。サクソフォン１と同様に、クラリネット１０１は、共鳴管１０の第１の外方開口端１１１の周囲でケーシング１１３にコルクによりプレスばめされるマウスピース１３０を備える。
【手続補正６】
【補正対象書類名】明細書
【補正対象項目名】００４９
【補正方法】変更
【補正の内容】
【００４９】
図６に示すように、横笛２０１は、この例では、第１の外方開口端２１１、第２の外方開口端２１２、およびこれらの間に延びるケーシング２１３を有する直線的な中空の共鳴管２１０の形態の共鳴器を備える。共鳴管２１０のケーシング２１３は、頭部２１４、嵌合部２１５、キー部２１６、および足部２１７を連続して備える。嵌合部２１５は、第１の移行境界２２１と第２の移行境界２２２とによって囲まれている。頭部２１４は、嵌合部２１５よりも狭い外径を有するか、嵌合部２１５よりも狭くなっている。マウスピース部２１４は、嵌合部２１５の中へ第２の移行境界２２２までスライドし、内部からすべりばめにより嵌合部２１５に当接する。マウスピース部２１４には、開口部２１１の周囲に位置するリッププレートすなわちマウスピース２３０が設けられており、はんだ接合部２３１によってマウスピースがケーシング２１３に固定的に接続される。マウスピース２３０を介し、開口部２１１を通って、ケーシング２１３へと空気が吹き込み可能である。結果としてケーシング２１３内に存在する空気柱Ｌが振動させられ、ケーシング２１３が振動を多かれ少なかれ引き継いでケーシング振動Ｍとする。はんだ接合部２３１の位置で、本発明に係るサウンドブリッジ４は、マウスピース２３０の振動をマウスピース部２１４に直接伝達することができる。
【手続補正７】
【補正対象書類名】明細書
【補正対象項目名】００５１
【補正方法】変更
【補正の内容】
【００５１】
図７に示すように、金管楽器と考えられるトランペット３０１は、この例では、第１の外方開口端３１１、第２の外方開口端３１２、およびこれらの間に延びる銅製のケーシング３１３を有する中空の共鳴管３１０の形態である共鳴器を備える。ケーシング３１３は、共鳴管３１０の第１の外方開口端３１１と第２の外方開口端３１２との間において連続する空気柱の境界を形成している。共鳴管３１０のケーシング３１３は、マウスピース３３０、キー部３１４、第１の屈曲部３１５、弁部３１６、第２の屈曲部３１７、第２の筒部３１８、およびホーン部すなわちベル部３１９を備える。トランペット３０１には、補強ブッシュ３２１，３２２，３２３が設けられており、これらの下に、ケーシング３１３の部分３１４−３１９を互いに接続するはんだ接合部がある。トランペット３０１は、共鳴管３１０の第１の外方開口端３１１の周囲でケーシング３１３にプレスばめされるマウスピース３３０を備える。
【手続補正８】
【補正対象書類名】明細書
【補正対象項目名】００５６
【補正方法】変更
【補正の内容】
【００５６】
サウンドブリッジ４０４は、上記した本発明の第１の実施形態に係るサウンドブリッジ４と実質的に同一であり、第１接触部４４１、第２接触部４４２、ブリッジ部４４３、および二重湾曲凹面４４４を有したサウンドブリッジ本体を備える。図９に示すように、サウンドブリッジ４０４は、共鳴管１０のケーシング１３に接点Ｃ１−Ｃ４で当接するように、第１移行境界２１の位置で取り付けられる。本発明の第２実施形態に係るサウンドブリッジ４０４は、本発明の第１の実施形態に係るサウンドブリッジ４とちょうど同じように、第１移行境界２１に接触せずに、ケーシング１３を通って伝播するケーシング振動Ｍを、共鳴管１０のある部分から他の部分へと実質的に減じさせることなく伝達する。
【手続補正９】
【補正対象書類名】明細書
【補正対象項目名】００５７
【補正方法】変更
【補正の内容】
【００５７】
図９Ａ〜９Ｃに示すように、第２の実施形態に係るサウンドブリッジ４０４と第１実施形態に係るサウンドブリッジ４は、第２の実施形態に係るサウンドブリッジ４０４では締付バンド４６，４７のインデックススロットが設けられていないという点において異なっている。この実施形態では、締付バンド４６，４７は、結局、サウンドブリッジ４０４に直接接触しない。
【手続補正１０】
【補正対象書類名】明細書
【補正対象項目名】００６０
【補正方法】変更
【補正の内容】
【００６０】
本発明の第２実施形態に係る第２のサウンドブリッジアセンブリ４００が設けられたサクソフォン１の操作を、図８に基づいて説明する。
【手続補正１１】
【補正対象書類名】明細書
【補正対象項目名】００６１
【補正方法】変更
【補正の内容】
【００６１】
図８に示されるような状況を達成するために、演奏者は、ネック部１４とキー部１５との間の第１移行境界２１の位置で、サクソフォン１のケーシング１３にサウンドブリッジ４０４を取り付ける。この瞬間、サウンドブリッジ４０４はまだ緩んだ状態でケーシング１３上に載置されている。続いて、シールドブリッジ４０５がサウンドブリッジ４０４上に配置され、シールドブリッジ４０５のスペーサ突起４７０のみがサウンドブリッジ４０４に接触する。演奏者は、締付バンド４６，４７がケーシング１３の周囲に回されてシールドブリッジ４０５に張架されるまで、両サウンドブリッジ４０４、４０５をそれぞれの位置に保持する。締付バンド４６，４７は、シールドブリッジ４０５の上面のインデックススロット４５５によってそれぞれの場所に保持される。締付バンド４６，４７は、サウンドブリッジ４０４に接触することなく、ケーシング１３からシールドブリッジ４０５上へと延びる。締付バンド４６，４７の弾性により、第２のサウンドブリッジアセンブリ４００はケーシング１３に固定されており、場所については、加圧力やクランプ力下でケーシング１３に対して固定されている。このとき、演奏者はサウンドブリッジ４０４およびシールドブリッジ４０５から手を放すことができる。
【手続補正１２】
【補正対象書類名】特許請求の範囲
【補正対象項目名】全文
【補正方法】変更
【補正の内容】
【特許請求の範囲】
【請求項１】
中空の共鳴器を備えた楽器、特に管楽器であって、
前記共鳴器が、連続する空気柱の境界を形成するケーシングと、前記ケーシングの開口と、を有し、前記開口を介して音を生成し、
前記空気柱は、使用時、振動させられ、
前記ケーシングは前記空気柱の振動を少なくとも部分的に引き継ぎ、
前記共鳴器が、直列的に第１の部分と第２の部分とを備え、
前記楽器は、前記第１の部分と前記第２の部分との間に係合部を有し、
前記ケーシングの外側を向いた側において、前記係合部は、前記第１の部分と前記第２の部分との間の移行境界により境界が形成されており、
前記楽器は、サウンドブリッジと、前記共鳴器の外側に当接接触してクランプ力下で前記サウンドブリッジを取り付ける１つ以上の張力要素と、を備え、
前記サウンドブリッジは、第１の外端部において、前記共鳴器の前記第１の部分上に当接接触してクランプ力下で配置される第１接触部を有し、
前記サウンドブリッジは、第２の外端部において、前記共鳴器の前記第２の部分上に当接接触してクランプ力下で配置される第２接触部を有し、
前記サウンドブリッジは、前記移行境界から離間している、楽器。
【請求項２】
前記サウンドブリッジが、前記移行境界と直接的に接触しない、請求項１に記載の楽器。
【請求項３】
前記楽器は、シールドブリッジを備え、
前記サウンドブリッジの前記ケーシングとは反対側において、前記シールドブリッジは、前記１つ以上の張力要素と前記サウンドブリッジとの間に配置される、請求項１または２に記載の楽器。
【請求項４】
前記シールドブリッジが、前記サウンドブリッジに面する側にスペーサ突起を備えており、
前記シールドブリッジは、前記スペーサ突起のみにより前記サウンドブリッジに接触する、請求項３に記載の楽器。
【請求項５】
前記シールドブリッジが、前記スペーサ突起を除いて、前記サウンドブリッジから離間している、請求項４に記載の楽器。
【請求項６】
前記サウンドブリッジと前記シールドブリッジの前記スペーサ突起との間の接触が、点接触である、請求項４または５に記載の楽器。
【請求項７】
前記１つ以上の張力要素が前記シールドブリッジには直接的に接触するが前記サウンドブリッジには直接的に接触しないように、前記シールドブリッジが前記サウンドブリッジをシールドしている、請求項３〜６のいずれか１項に記載の楽器。
【請求項８】
前記１つ以上の張力要素が前記共鳴器の前記ケーシングの周りに周方向に取り付けられ、
前記１つ以上の張力要素が前記ケーシングから前記シールドブリッジの方へ、好ましくは前記シールドブリッジの上へ延びる、請求項３〜７のいずれか１項に記載の楽器。
【請求項９】
前記第１接触部が、前記移行境界から離間した前記第１の部分に当接し、
前記第２接触部が、前記第１接触部に対して前記移行境界とは反対側の、前記移行境界から離間した前記第２の部分に当接し、
前記サウンドブリッジが、前記移行境界から離間して前記第１接触部と第２接触部を接続するブリッジ部を備える、請求項１〜８のいずれか１項に記載の楽器。
【請求項１０】
前記空気柱は、使用時、ルートコード周波数を有する振動と、倍音周波数を有する倍音振動と、を有し、
前記倍音周波数は、前記ルートコード周波数を乗算した結果であり、
前記サウンドブリッジは、前記係合部よりも前記倍音振動を良好に伝導する、請求項１〜９のいずれか１項に記載の楽器。
【請求項１１】
前記空気柱は、使用時、ルートコード周波数を有する振動と、低音振動と、を有し、
前記低音の周波数は、前記ルートコード周波数を分周した結果であり、
前記サウンドブリッジは、前記係合部よりも前記低音振動を良好に伝導する、請求項１〜１０のいずれか１項に記載の楽器。
【請求項１２】
前記サウンドブリッジが、前記ケーシングと略同等の振動伝導特性を有する、請求項１〜１１のいずれか１項に記載の楽器。
【請求項１３】
前記係合部は、前記ケーシングの材料とは異なる材料を含む、請求項１〜１２のいずれか１項に記載の楽器。
【請求項１４】
前記サウンドブリッジが、前記ケーシングと略同じ材料からなる、請求項１〜１３のいずれか１項に記載の楽器。
【請求項１５】
前記サウンドブリッジが、固体材料片から形成されている、請求項１〜１４のいずれか１項に記載の楽器。
【請求項１６】
前記サウンドブリッジが、金属または合成材料、特に、黄銅、銅、ステンレス鋼、銀、金、および洋白を含む金属の群、並びに、ポリカーボネートおよびアクリロニトリルブタジエンスチレンを含む合成材料の群から作られている、請求項１〜１５のいずれか１項に記載の楽器。
【請求項１７】
前記第１の部分および前記第２の部分が、それぞれ、前記共鳴器の管の前記ケーシングを一緒に形成する第１のケーシング部および第２のケーシング部である、請求項１〜１６のいずれか１項に記載の楽器。
【請求項１８】
前記第１の部分がマウスピースであり、前記第２の部分が前記ケーシングである、請求項１〜１６のいずれか１項に記載の楽器。
【請求項１９】
前記係合部が、溶接継手、はんだ接合部、ねじ継手又はコルク接続である、請求項１〜１８のいずれか１項に記載の楽器。
【請求項２０】
前記係合部が、すべりばめ又はプレスばめである、請求項１〜１９のいずれか１項に記載の楽器。
【請求項２１】
前記共鳴器が略管状であり、
前記サウンドブリッジは、前記接触部の位置において、前記共鳴器の曲率と略相補的に湾曲した接触面を有する、請求項１〜２０のいずれか１項に記載の楽器。
【請求項２２】
請求項１〜２１のいずれか１項に記載の楽器における使用に明らかに適した、サウンドブリッジ。
【手続補正１３】
【補正対象書類名】図面
【補正対象項目名】図４Ｄ
【補正方法】変更
【補正の内容】
【図４Ｄ】
2013541052.tif 000019
【国際調査報告】
2013541052.tif 000020
2013541052.tif 000021
2013541052.tif 000022